(57)【要約】本発明は、フレネルレンズ構造体に関するもので、フレネルレンズ層と、上記フレネルレンズ層上に位置する平坦化層と、を含み、上記フレネルレンズ層及び上記平坦化層のうち、いずれか一つは複屈折性物質からなり、残りの一つは上記複屈折性物質の最高屈折率または最低屈折率と同一の屈折率を有する等方性物質からなることを特徴とする。本発明によるフレネルレンズ構造体は、２Ｄ／３Ｄの転換構造が単純で、その転換が容易であり、２Ｄ／３Ｄ転換のための複雑な装置を用いないことから、立体映像表示装置の構造を単純にすることができ、フレネル状のレンズ構造体を用いるため、レンチキュラーレンズに比べて製作費用を節減する効果を有する。【選択図】図１
2014511497.tif 000002
【特許請求の範囲】
【請求項１】
フレネルレンズ層と、
前記フレネルレンズ層上に位置する平坦化層と、を含み、
前記フレネルレンズ層及び前記平坦化層のうち、いずれか一つは複屈折性物質を含み、残りの一つは前記複屈折性物質の最高屈折率または最低屈折率と同一の屈折率を有する等方性物質を含む、フレネルレンズ構造体。
【請求項２】
前記フレネルレンズ層は前記複屈折性物質を含み、
前記平坦化層は前記フレネルレンズ層の前記最低屈折率と同一の屈折率を有する等方性物質を含む、請求項１に記載のフレネルレンズ構造体。
【請求項３】
前記平坦化層は前記複屈折性物質を含み、
前記フレネルレンズ層は前記平坦化層の前記最高屈折率と同一の屈折率を有する等方性物質を含む、請求項１に記載のフレネルレンズ構造体。
【請求項４】
前記複屈折性物質の前記最高屈折率と前記最低屈折率の差が０．０５〜０．３の範囲にある、請求項１から３のいずれか一項に記載のフレネルレンズ構造体。
【請求項５】
前記複屈折性物質は液晶または延伸プラスチックである、請求項１から４のいずれか一項に記載のフレネルレンズ構造体。
【請求項６】
前記等方性物質はアクリル系ＵＶ硬化樹脂である、請求項１から５のいずれか一項に記載のフレネルレンズ構造体。
【請求項７】
前記フレネルレンズ層の単位フレネルレンズの幅は１００〜８００μｍである、請求項１から６のいずれか一項に記載のフレネルレンズ構造体。
【請求項８】
前記フレネルレンズ層の単位フレネルレンズの高さは１〜１０μｍである、請求項１から７のいずれか一項に記載のフレネルレンズ構造体。
【請求項９】
前記フレネルレンズ層の焦点距離は１００〜６０００μｍである、請求項１から８のいずれか一項に記載のフレネルレンズ構造体。
【請求項１０】
前記平坦化層の厚さは１〜１００μｍである、請求項１から９のいずれか一項に記載のフレネルレンズ構造体。
【請求項１１】
（ａ）フレネルレンズ層を形成する段階と、
（ｂ）前記フレネルレンズ層上に平坦化層を形成する段階と、を含み、
前記（ａ）段階のフレネルレンズ層及び前記（ｂ）段階の平坦化層のうち、いずれか一つは複屈折性物質を含み、残りの一つは前記複屈折性物質の最高屈折率または最低屈折率と同一の屈折率を有する等方性物質を含む、フレネルレンズ構造体の製造方法。
【請求項１２】
前記（ａ）段階のフレネルレンズ層は前記複屈折性物質を含み、
前記（ｂ）段階の前記平坦化層は前記フレネルレンズ層の前記最低屈折率と同一の屈折率を有する前記等方性物質を含む、請求項１１に記載のフレネルレンズ構造体の製造方法。
【請求項１３】
前記（ｂ）段階の前記平坦化層は前記複屈折性物質からなり、
前記（ａ）段階の前記フレネルレンズ層は前記平坦化層の前記最高屈折率と同一の屈折率を有する前記等方性物質を含む、請求項１１に記載のフレネルレンズ構造体の製造方法。
【請求項１４】
表示パネルと、
前記表示パネルより観察者側に位置し、電気的制御によって出力映像の偏光方向を制御する偏光変換器と、
前記偏光変換器より観察者側に位置し、出力映像の偏光方向に沿って立体映像と平面映像を転換する、請求項１から１０のいずれか一つの記載のフレネルレンズ構造体と、を含む、２Ｄ／３Ｄ転換の映像表示装置。
【発明の詳細な説明】
【技術分野】
【０００１】
本発明は、フレネルレンズ構造体及びその製造方法に関するもので、より詳細には、２Ｄ／３Ｄ転換の映像表示装置用フレネルレンズ構造体及びその製造方法に関する。
【背景技術】
【０００２】
一般に、３次元立体映像表示装置にはメガネ方式及び無メガネ方式がある。メガネ方式の場合は、一般的に偏光メガネまたはシャッターメガネを用いて立体映像を具現する。このようなメガネ方式には、視野角が広く、立体効果に優れるという長所があるが、別途メガネを購買しなければならず、メガネを着用しなければならないという短所がある。また、モバイルフォンやタブレットＰＣなどのポータブル機器にメガネ方式による立体映像表示装置を適用すると、立体映像を視聴するために常にメガネを所持しなければならないという問題が発生する。
【０００３】
一方、無メガネ方式の立体映像表示装置には、パララックスバリア方式及びレンチキュラーレンズ方式がある。このうち、パララックスバリア方式は、表示パネルの前方に一定距離を置いてバリアフィルターを配置した後、時差を置いて両眼が異なるイメージや映像を観察できるように制御することでイメージや映像が立体で示されるようにするという時差による方法で、２Ｄ／３Ｄ転換が容易ではあるが、輝度が１／２に減少するという問題がある。
【０００４】
レンチキュラー方式は、左眼映像及び右眼映像の視域を分離するために、表示パネルと観察者（視聴者）との間に位置したレンチキュラーレンズアレイを用いる方式で、３Ｄ転換時に輝度が減少しないという長所があるが、２Ｄ／３Ｄ転換が容易ではないという短所がある。
【０００５】
このため、メガネを用いることなく、輝度が減少せず、２Ｄ／３Ｄ転換が容易である映像表示装置の開発に対する必要性が高まりつつある。
【発明の概要】
【発明が解決しようとする課題】
【０００６】
本発明は、上記のような問題点を解決するためのもので、立体映像表示装置に用いられる、２Ｄ／３Ｄ映像の転換を可能にするフレネルレンズ構造体及びその製造方法、そのフレネルレンズ構造体を用いた２Ｄ／３Ｄ転換の映像表示装置を提供する。
【課題を解決するための手段】
【０００７】
本発明は、一側面において、フレネルレンズ層と、上記フレネルレンズ層上に位置する平坦化層と、を含み、上記フレネルレンズ層及び上記平坦化層のうち、いずれか一つは複屈折性物質からなり、残りの一つは上記複屈折性物質の最高屈折率または最低屈折率と同一の屈折率を有する等方性物質からなることを特徴とするフレネルレンズ構造体を提供する。
【０００８】
また、本発明は、他の側面において、（ａ）フレネルレンズ層を形成する段階と、（ｂ）上記フレネルレンズ層上に平坦化層を形成する段階と、を含み、上記フレネルレンズ層及び上記平坦化層のうち、いずれか一つは複屈折性物質からなり、残りの一つは上記複屈折性物質の最高屈折率または最低屈折率と同一の屈折率を有する等方性物質からなることを特徴とするフレネルレンズ構造体の製造方法を提供する。
【０００９】
なお、本発明は、さらに他の側面において、表示パネルと、上記表示パネルより観察者側に位置し、電気的制御によって出力映像の偏光方向を制御する偏光変換器と、上記偏光変換器より観察者側に位置し、出力映像の偏光方向に沿って立体映像と平面映像を転換する本発明によるフレネルレンズ構造体と、を含む２Ｄ／３Ｄ転換の映像表示装置を提供する。
【発明の効果】
【００１０】
本発明のフレネルレンズ構造体を用いると、輝度の低下なしに２Ｄ映像と３Ｄ映像の転換を具現することができるようになる。
【００１１】
また、本発明のフレネルレンズ構造体を用いると、電源印加または別途の光変調装置を用いることなく、出力映像の偏光方向に沿って簡単に立体映像と平面映像を転換することができるようになる。
【００１２】
なお、本発明のフレネルレンズ構造体は、従来の立体映像装置に用いられていたレンチキュラーレンズ構造体に比べて厚さが非常に薄いため、薄型のディスプレイ装置を具現することができるのみならず、高価の複屈折物質の使用量が少なくて製造費用が安価であるという長所がある。
【図面の簡単な説明】
【００１３】
【図１】本発明の一具体例によるフレネルレンズ構造体の構造を示す断面図である。
【図２】本発明の他の具体例によるフレネルレンズ構造体の構造を示す断面図である。
【図３】フレネルレンズにおいて左眼映像と右眼映像が分離される形状を示す図面である。
【図４】本発明の一具体例によるフレネルレンズ構造体を用いた２Ｄ／３Ｄ転換の映像表示装置の構成を示す図面である。
【図５】本発明の他の具体例によるフレネルレンズ構造体を用いた２Ｄ／３Ｄ転換の映像表示装置の構成を示す図面である。
【発明を実施するための形態】
【００１４】
以下では、添付の図面を参照し、本発明による好ましい具現例について詳細に説明する。
【００１５】
但し、本発明は、多様な変更を加えることができ、多様な具現例を有することができるため、特定の具現例を図面に示して詳細に説明する。これは、本発明を特定の実施形態に限定するのではなく、本発明の思想及び技術範囲に含まれる全ての変更、均等物または代替物を含むものと理解されなければならない。また、各図面を説明するにあたり、同一符合は同一の構成要素に対して用いた。
【００１６】
図１は本発明の一具体例によるフレネルレンズ構造体の構造を示す断面図であり、図２は本発明の他の具体例によるフレネルレンズ構造体の構造を示す断面図である。
【００１７】
図１及び図２を参照すると、本発明によるフレネルレンズ構造体１０は、フレネルレンズ層１１と、平坦化層１２と、を含む。
【００１８】
上記フレネルレンズ層１１は、複数個のフレネルレンズが平行に配置された形態である。
【００１９】
本発明において、フレネルレンズは、立体映像表示装置において左眼映像と右眼映像を分離して立体映像を具現する役割をする。
【００２０】
図３はフレネルレンズにおいて左眼映像と右眼映像が分離される形状を示す図面である。
【００２１】
図３を参照してフレネルレンズが立体映像を具現する過程について説明すると、単位フレネルレンズの幅内に左眼用画素及び右眼用画素を配置する場合、それぞれの画素から光が出射されるとフレネルレンズの形状（光が出射される表示パネル側から見たとき、レンズの中央から端に向かうほどレンズの表面曲率が大きくなる形状）によってレンズの中央を通過する光は直進し、レンズの右側部分（右眼用画素部分）を通過する光は左側に屈折されて視聴者の右眼に進行するようになり、レンズの左側部分（左眼用画素部分）を通過する光は右側に屈折されて視聴者の左眼に進行するようになる。このように、左眼用画素の映像及び右眼用画素の映像がそれぞれ異なる方向に進行して分離されることで立体映像が具現されるようになる。
【００２２】
一方、フレネルレンズを立体映像に具現するために用いると、レンチキュラーレンズに比べて原材料の使用量が減少するため、レンズ構造体の製作費用が節減され、その結果、立体映像表示装置の製作費用が節減される効果を得ることができる。これについてより具体的に説明すると、一般的に立体映像表示装置において用いられるレンズ構造物の場合、単位レンズの幅が画素の幅に対応するように約１００〜８００μｍになるようにすることが好ましい。しかし、幅を有する単位レンズをレンチキュラーレンズ状に具現する場合は、レンズの曲率によって多少差異があるが、単位レンズの高さがおよそ３０μｍ〜５００μｍに及ぶ。これに対し、本発明のようにフレネルレンズ状にレンズ構造体を形成する場合は、レンズの高さをレンチキュラーレンズの１／３以下の水準に低く形成しても、レンチキュラーレンズと同水準の光学特性を得ることができる。このように単位レンズの高さを低く形成すると、レンズ構造体の体積が顕著に減少するため、本発明のレンズ構造体に用いられる複屈折物質の量を顕著に減らすことができ、その結果、製造費用が安価になる。また、全体のレンズ構造体の厚さが薄くなるため、ディスプレイ装置を薄型に形成できるのみならず、光損失が減少して輝度が高くなり、光効率性が増大される効果を得ることができる。
【００２３】
上記平坦化層１２は、上記フレネルレンズ層１１上に位置し、上記フレネルレンズ構造体１０を平坦な透明基材にする役割を行う。
【００２４】
一方、上記フレネルレンズ層１１及び上記平坦化層１２のうち、いずれか一つは複屈折性物質からなり、残りの一つは上記複屈折性物質の最高屈折率または最低屈折率と同一の屈折率を有する等方性物質からなる。これは、２Ｄ映像を具現する直線偏光に対しては上記フレネルレンズ層及び上記平坦化層の屈折率を同一にしてフレネルレンズ構造体が平坦な透明基材として作動するようにし、３Ｄ映像を具現する直線偏光に対しては上記フレネルレンズ層及び上記平坦化層の屈折率を異ならせてフレネルレンズ構造体がフレネルレンズスクリーンとして作動させて立体映像を具現させるためである。
【００２５】
図１を参照し、本発明の一具体例によるフレネルレンズ構造体についてより詳細に説明する。
【００２６】
図１を参照すると、上記フレネルレンズ層１１は複屈折性物質からなる。ここで、複屈折性物質とは、その物質を通過する２つの直交する直線偏光の屈折率が異なるものを意味する。上記２つの屈折率のうち、屈折率が大きいものを最高屈折率、屈折率が小さいものを最低屈折率とするとき、フレネルレンズ層１１を通過する最高屈折率ｎ１Ｈを有する直線偏光と最低屈折率ｎ１Ｌを有する直線偏光は互いに垂直である。
【００２７】
ここで、上記フレネルレンズ層１１を形成する複屈折性物質は、最高屈折率ｎ１Ｈと最低屈折率ｎ１Ｌの差異が０．０５〜０．３の範囲にあることが好ましく、０．１〜０．３の範囲にあることがより好ましく、０．２〜０．３の範囲にあることが最も好ましい。最高屈折率ｎ１Ｈと最低屈折率ｎ１Ｌの差異が０．０５より小さい複屈折性物質も存在するが、このような物質でフレネルレンズ層が形成されると、立体映像を出力する場合に、フレネルレンズ層１１と平坦化層１２の屈折率差が過度に小さいことから、フレネルレンズ構造体１０が平坦な透明基材のように作動して立体映像がうまく具現できない。また、有機物の場合には最高屈折率ｎ１Ｈと最低屈折率ｎ１Ｌの差異が０．３より大きい複屈折性物質は存在せず、無機結晶の場合には存在はするが、フィルム用として用いるのに適さないという問題がある。
【００２８】
また、フレネルレンズ層１１は、複屈折物質であれば特に制限されず、延伸プラスチックまたは液晶からなることが好ましく、この中でも液晶を配向して製造することが最も好ましい。液晶を配向して製造されたフレネルレンズ層１１は、具体的に基材上に配向膜を覆わせ、配向膜上に液晶を注いで液晶を配向させた後、光を照射して硬化することで製造される。
【００２９】
なお、上記フレネルレンズ層１１をなす単位フレネルレンズは、中心部に凸レンズがあり、上記凸レンズの両側に複数個ののこぎり状のレンズが対称的に配置された形状を有することが好ましい。
【００３０】
さらに、上記フレネルレンズ層１１の単位フレネルレンズの幅は１００〜８００μｍであることが好ましく、立体映像表示装置がモバイルの場合には１００〜２００μｍの範囲、モニタ及びタブレットパーソナルコンピュータの場合には１００〜３００μｍの範囲、テレビジョンの場合には４００〜８００μｍの範囲にあることが最も好ましい。一般に、単位フレネルレンズの幅は、表示パネルの表示ピクセル２個のサイズに対応するように決定される。上記範囲はディスプレイの表示ピクセルのサイズから大型ディスプレイの表示ピクセルのサイズまでを全て満たすことができる範囲である。
【００３１】
上記フレネルレンズ層１１の単位フレネルレンズの高さは１〜１０μｍであることが好ましい。単位フレネルレンズの高さが１μｍ未満の場合は、レンズの効果を奏することが困難であり、１０μｍを超過すると液晶配向が困難になるためである。
【００３２】
上記フレネルレンズ層１１の単位フレネルレンズの焦点距離は１００〜６０００μｍの範囲にあることが好ましい。焦点距離が１００μｍ未満であると、立体映像表示装置に用いられるレンズとして設計することが困難であり、６０００μｍを超過すると、視聴距離が４ｍを超えるようになって実生活への適用が困難になる。ここで、フレネルレンズの焦点距離は、レンズの最下端から光の焦点が当たる位置までの距離を意味する。
【００３３】
一方、上記平坦化層１２は、上記フレネルレンズ層１１の最低屈折率ｎ１Ｌと同一の屈折率ｎ２を有する等方性物質からなる。これは、フレネルレンズ層１１の最低屈折率ｎ１Ｌを有する直線偏光と同一方向の偏光がフレネルレンズ構造体１０を通過する場合は、レンズ構造体を透明な平坦基材のように作動させて光が屈折されないようにすることで２次元の映像を提供させ、フレネルレンズ層１１の最高屈折率ｎ１Ｈを有する直線偏光と同一方向の偏光がフレネルレンズ構造体１０を通過する場合は、平坦化層１２よりフレネルレンズ層１１の屈折率が大きいことから、レンズ構造体を一般のフレネルレンズシートのように作動させて左眼視域及び右眼視域の映像を分離することで３次元の映像を提供させるためである。
【００３４】
また、上記平坦化層１２は、等方性物質であれば特に制限されないが、アクリル系ＵＶ硬化用樹脂からなることが好ましい。
【００３５】
上記平坦化層１２の厚さは１〜１００μｍであることが好ましく、１〜５０μｍの範囲にあることがより好ましく、１〜１０μｍの範囲にあることが最も好ましい。上記平坦化層の厚さが１μｍ未満であると、単位フレネルレンズの高さより低くなって平坦化層を形成できず、１００μｍを超過すると、平坦化層によって光が過度に吸収されて透過度が減少するという問題が発生するためである。
【００３６】
図２を参照し、本発明の他の具体例によるフレネルレンズ構造体についてより詳細に説明する。
【００３７】
図２を参照すると、上記フレネルレンズ層１１は、光学的特性が等方性である（特に、屈折率が等方性である）フレネルレンズ層を意味し、等方性物質であれば特に制限されないが、アクリル系ＵＶ硬化樹脂で製造されることが好ましい。
【００３８】
また、その他の条件は本発明の一具体例によるフレネルレンズ構造体のフレネルレンズ層と同一である。
【００３９】
上記平坦化層１２は複屈折性物質からなる。これは、平坦化層の屈折率を、フレネルレンズ構造体を通過する光の偏光方向に沿って異ならせることでフレネルレンズ構造体を通過する光の偏光方向に沿って２次元または３次元の映像を提供できるようにするためである。
【００４０】
また、上記平坦化層１２は、複屈折性物質であれば特に制限されないが、液晶または延伸プラスチックからなることが好ましく、液晶からなることがより好ましい。
【００４１】
なお、上記平坦化層１２は、最高屈折率ｎ２Ｈと最低屈折率ｎ２Ｌの差が０．０５〜０．３の範囲にあることが好ましく、０．１〜０．３の範囲にあることがより好ましく、０．２〜０．３の範囲にあることが最も好ましい。
【００４２】
さらに、上記平坦化層１２は、最高屈折率ｎ２Ｈが上記フレネルレンズ層１１の屈折率と同一の複屈折物質からなる。これにより、上記フレネルレンズ構造体１０を立体映像表示装置に用いる場合、平坦化層１２の最高屈折率ｎ２Ｈを有する直線偏光と同一方向の偏光がフレネルレンズ構造体１０を通過すると、レンズ構造体は平坦な透明基材のように作動して２次元の映像を提供することができ、最低屈折率ｎ２Ｌを有する直線偏光と同一方向の偏光がフレネルレンズ構造体１０を通過すると、レンズ構造体はフレネルレンズシートのように作動して左眼視域及び右眼視域を分離することで３次元の映像を提供することができるようになる。
【００４３】
本発明によるレンズ構造体の製造方法は、（ａ）フレネルレンズ層を形成する段階と、（ｂ）上記フレネルレンズ層上に平坦化層を形成する段階と、を含む。
【００４４】
ここで、上記（ａ）段階のフレネルレンズ層及び上記（ｂ）段階の平坦化層のうち、いずれか一つは複屈折性物質からなり、残りの一つは上記複屈折性物質の最高屈折率または最低屈折率と同一の屈折率を有する等方性物質からなる。
【００４５】
具体的には、上記（ａ）段階のフレネルレンズ層が複屈折性物質からなる場合は、上記（ｂ）段階の平坦化層は上記フレネルレンズ層の最低屈折率と同一の屈折率を有する等方性物質からなり、上記（ｂ）段階の平坦化層が複屈折性物質からなる場合は、上記（ａ）段階のフレネルレンズ層は上記平坦化層の最高屈折率と同一の屈折率を有する等方性物質からなる。
【００４６】
また、上記複屈折性物質は、最高屈折率と最低屈折率の差が０．０５〜０．３の範囲にあることが好ましく、０．１〜０．３の範囲にあることがより好ましく、０．２〜０．３の範囲にあることが最も好ましい。
【００４７】
なお、上記複屈折性物質は特に制限されないが、液晶または延伸プラスチックであることが好ましく、上記等方性物質は特に制限されないが、アクリル系ＵＶ硬化樹脂であることが好ましい。
【００４８】
一方、上記（ａ）段階において、フレネルレンズ層の単位フレネルレンズの幅は２００〜８００μｍであることが好ましく、上記単位フレネルレンズの高さは１〜１０μｍであることが好ましく、焦点距離は１００〜６０００μｍであることが好ましい。
【００４９】
また、上記（ｂ）段階において、平坦化層の厚さは１〜１００μｍであることが好ましく、１〜５０μｍの範囲にあることがより好ましく、１〜１０μｍの範囲にあることが最も好ましい。
【００５０】
図４は本発明の一具体例によるフレネルレンズ構造体１０を用いた２Ｄ／３Ｄ転換の映像表示装置の構成を示す図面であり、図５は本発明の他の具体例によるフレネルレンズ構造体１０を用いた２Ｄ／３Ｄ転換の映像表示装置の構成を示す図面である。
【００５１】
図４及び図５を参照すると、上述した本発明によるフレネルレンズ構造体１０を用いた２Ｄ／３Ｄ転換の映像表示装置は、表示パネル１００、偏光変換器２００及びフレネルレンズ構造体１０を含む。
【００５２】
上記表示パネル１００は、表示ピクセルの行及び列のアレイを有する公知の表示パネルで、特に制限されない。
【００５３】
上記偏光変換器２００は、上記表示パネル１００より観察者側に位置し、偏光子２１０及び偏光回転子２２０からなる。上記偏光回転子２２０は、電気的制御によって偏光子を通過した光の偏光方向を変換させるもので、出力映像（即ち、フレネルレンズ構造体１０を通過する光）の偏光方向を決定する役割を行う。
【００５４】
上記フレネルレンズ構造体１０は、上記偏光変換器２００より観察者側に位置し、出力映像（即ち、フレネルレンズ構造体１０を通過する光）の偏光方向に沿って立体映像と平面映像を転換する役割を行う。
【００５５】
実施例
【００５６】
（１）フレネルレンズ構造体の製作
無位相差ＴＡＣフィルムやＣＯＰフィルムなどの位相差がない基材フィルム上にＵＶ硬化用樹脂（硬化時の屈折率１．５４）を用いてフレネルレンズの逆相を形成させる。形成された形状に、シンナメート基を含むノルボルネン系光反応性重合体、上記光反応性重合体との架橋反応が可能な多官能性モノマー、光開始剤及び有機溶媒を含む組成物を用いて液晶配向膜を形成させる。その後、形成された配向膜上に棒状の液晶を配向させる。このとき、液晶の最低屈折率は１．５４、液晶の最高屈折率は１．６６である。また、形成された単位フレネルレンズの幅は１１９．４μｍ、単位フレネルレンズの高さは５μｍ、単位フレネルレンズをなすのこぎり状のレンズの数は１０個、中央の凸レンズの高さは４．１μｍ、その幅は４４μｍである。
【００５７】
本発明によるフレネルレンズ構造体を用いた２Ｄ／３Ｄ転換の映像表示装置は、レンズ構造体を電気的に制御して２Ｄ／３Ｄを転換させないため、２Ｄ／３Ｄ転換が容易であり、２Ｄ／３Ｄ転換のために光変調器などの複雑な変換装置を用いないため、立体映像表示装置の構造を単純にすることができ、フレネル状のレンズ構造体を用いることで製作費用を節減する効果を有する。
【符号の説明】
【００５８】
１０  フレネルレンズ構造体
１１  フレネルレンズ層
１２  平坦化層
１００  表示パネル
２００  偏光変換器
２１０  偏光子
２２０  偏光回転子
【図１】
2014511497.tif 000003
【図２】
2014511497.tif 000004
【図３】
2014511497.tif 000005
【図４】
2014511497.tif 000006
【図５】
2014511497.tif 000007
【国際調査報告】
2014511497.tif 000008
2014511497.tif 000009
2014511497.tif 000010
2014511497.tif 000011
2014511497.tif 000012
2014511497.tif 000013